(57)【要約】光触媒を用いた揮発性有機化合物（ＶＯＣ）の分解過程で生じる中間生成物を除去することが可能な空気清浄機を提供する。この空気清浄機は、筐体と、送風機と、ＶＯＣ除去部と、コロナ放電部とを備える。筐体は、内部に風洞が形成され、風洞内に空気を吸い込む吸気口及び風洞内から清浄後の空気を排出する排気口を有する。送風機は、風洞内において吸気口から排気口へ向けての気流を生成する。ＶＯＣ除去部は、風洞内に配置され、光触媒フィルター及び光触媒フィルターに対し光を照射する光源を有する。コロナ放電部は、風洞内においてＶＯＣ除去部よりも下流に配置される。
2016147792.tif 000002
【特許請求の範囲】
【請求項１】
内部に風洞が形成され、前記風洞内に空気を吸い込む吸気口及び前記風洞内から清浄後の空気を排出する排気口を有する筐体と、
前記風洞内において前記吸気口から前記排気口へ向けての気流を生成する送風機と、
前記風洞内に配置され、光触媒フィルター及び前記光触媒フィルターに対し光を照射する光源を有するＶＯＣ除去部と、
前記風洞内において前記ＶＯＣ除去部よりも下流に配置されるコロナ放電部と、
を備える、空気清浄機。
【請求項２】
前記光触媒フィルターは、多数の孔が形成されたトンネル状に形成されており、一端に開口を有するとともに、他端に前記気流を遮蔽する遮蔽部材を有し、前記気流が前記開口を介して前記光触媒フィルター内に流入し、前記多数の孔を介して前記光触媒フィルター内から流出するように構成されている、
請求項１に記載の空気清浄機。
【請求項３】
前記遮蔽部材は、前記光源から照射される紫外線の透過を遮蔽し、
前記コロナ放電部は、前記遮蔽部材に対して前記光源の反対側に位置する、
請求項２に記載の空気清浄機。
【請求項４】
前記光源は、前記光触媒フィルター内に配置されている、
請求項２又は３に記載の空気清浄機。
【請求項５】
前記光触媒フィルターは、少なくとも部分的にメッシュ状に形成されている、
請求項２から４のいずれかに記載の空気清浄機。
【請求項６】
前記送風機は、前記開口を介して前記光触媒フィルター内に前記気流を送り込むように配置されている、
請求項２から５のいずれかに記載の空気清浄機。
【請求項７】
前記風洞内において前記コロナ放電部よりも下流に配置されるオゾン分解部
をさらに備える、
請求項１から６のいずれかに記載の空気清浄機。
【発明の詳細な説明】
【技術分野】
【０００１】
本発明は、空気清浄機に関する。
【背景技術】
【０００２】
従来、光触媒を用いて揮発性有機化合物（ＶＯＣ）を分解する空気清浄機が知られている。ＶＯＣとは、ケトン類、アルコール類、有機酸等の有機化合物のうち、揮発性に富むものを意味し、空気中に含まれる場合には、人によってはアレルギー症状を誘発し、アトピー、蕁麻疹、喘息等を引き起こす。また、空気中に浮遊するダスト、主として、有機物質、無機物質を問わず、マイクロメートル以下の粒子も、アレルギー症状を誘発し得、さらには、塵肺や肺がんの原因ともなり得る。そして、このようなダストをコロナ放電により集塵する空気清浄機も知られている。特許文献１は、光触媒による脱臭機能と、コロナ放電による集塵機能とを組み合わせた空気清浄機を開示している。
【先行技術文献】
【特許文献】
【０００３】
【特許文献１】特開平１１−１７９１１８号公報
【発明の概要】
【発明が解決しようとする課題】
【０００４】
しかしながら、光触媒を用いてＶＯＣを除去しようとしたとき、温度や湿度等の環境条件によっては十分な酸化が行われず、依然として有害な中間生成物が発生し得る。例えば、エタノールであれば、アセトアルデヒドが発生する。【０００５】
本発明は、空気中のダストの除去や光触媒を用いた揮発性有機化合物（ＶＯＣ）の分解に加え、その分解過程で生じる中間生成物を除去することが可能な空気清浄機を提供することを目的とする。
【課題を解決するための手段】
【０００６】
本発明の第１観点に係る空気清浄機は、筐体と、送風機と、ＶＯＣ除去部と、コロナ放電部とを備える。前記筐体は、内部に風洞が形成され、前記風洞内に空気を吸い込む吸気口及び前記風洞内から清浄後の空気を排出する排気口を有する。前記送風機は、前記風洞
内において前記吸気口から前記排気口へ向けての気流を生成する。前記ＶＯＣ除去部は、前記風洞内に配置され、光触媒フィルター及び前記光触媒フィルターに対し光を照射する光源を有する。光源の特性には特に限定はないが、上記の光触媒を有効に駆動するような光を発するものであれば良く、水銀封入石英ランプなどが考えられる。前記コロナ放電部は、前記風洞内において前記ＶＯＣ除去部よりも下流に配置される。【０００７】
本発明の第２観点に係る空気清浄機は、第１観点に係る空気清浄機であって、前記光触媒フィルターは、多数の孔が形成されたトンネル状に形成されており、一端に開口を有するとともに、他端に前記気流を遮蔽する遮蔽部材を有し、前記気流が前記開口を介して前記光触媒フィルター内に流入し、前記多数の孔を介して前記光触媒フィルター内から流出するように構成されている。【０００８】
本発明の第３観点に係る空気清浄機は、第２観点に係る空気清浄機であって、前記遮蔽部材は、前記光源から照射される紫外線の透過を遮蔽する。前記コロナ放電部は、前記遮蔽部材に対して前記光源の反対側に位置する。【０００９】
本発明の第４観点に係る空気清浄機は、第２観点又は第３観点に係る空気清浄機であって、前記光源は、前記光触媒フィルター内に配置されている。【００１０】
本発明の第５観点に係る空気清浄機は、第２観点から第４観点のいずれかに係る空気清浄機であって、前記光触媒フィルターは、少なくとも部分的にメッシュ状に形成されている。【００１１】
本発明の第６観点に係る空気清浄機は、第２観点から第５観点のいずれかに係る空気清浄機であって、前記送風機は、前記開口を介して前記光触媒フィルター内に前記気流を送り込むように配置されている。【００１２】
本発明の第７観点に係る空気清浄機は、第１観点から第６観点のいずれかに係る空気清浄機であって、オゾン分解部をさらに備える。前記オゾン分解部は、前記風洞内において前記コロナ放電部よりも下流に配置される。
【発明の効果】
【００１３】
本発明によれば、ＶＯＣ除去部及びコロナ放電部を備える空気清浄機が提供される。従って、空気中のＶＯＣを除去することができるとともに、空気中のダストを除去することができる。ところで、コロナ放電時には、強い酸化力を持つオゾンが発生し得るが、本発明によれば、コロナ放電部がＶＯＣ除去部の下流側に配置される。そのため、ＶＯＣ除去部で分解されずに残存した中間生成物を、コロナ放電時に発生したオゾンにより分解することができる。これにより、光触媒を用いたＶＯＣの分解過程で生じる中間生成物も除去することができる。
【図面の簡単な説明】
【００１４】
【図１】本発明の一実施形態に係る空気清浄機の側方断面図。
【図２】天面を取り除いた状態での空気清浄機の平面図。
【発明を実施するための形態】
【００１５】
以下、図面を参照しつつ、本発明の一実施形態に係る空気清浄機について説明する。
図１に、本実施形態に係る空気清浄機１の側方断面図を示し、図２に、空気清浄機１の平面図を示す。ただし、図２では、空気清浄機１の内部構造が分かるように、天面が取り除かれている。空気清浄機１は、室内や車内等の人間の生活環境下に設置することができ、当該環境の空気を浄化・活性化する。特に、以下に説明する特徴を有する空気清浄機１は、小型・軽量に形成したとしても、十分な空気清浄能力を発揮することが可能であり、携帯にも便利である。
【００１６】
図１及び図２に示すように、空気清浄機１は、内部に風洞Ｓ１を形成する筐体２を有する。本実施形態に係る筐体２は、直方体状である。なお、以下の説明において、「上下」及び「横方向」とは、特に断らない限り、図１を基準に定義される。また、「幅方向」とは、図２において「横方向」に直交する方向である。筐体２の内部空間は、仕切り板３により上下方向に分割されており、仕切り板３の上方の空間が風洞Ｓ１を形成する機械室であり、仕切り板３の下方の空間が電気室Ｓ２である。電気室Ｓ２内には、電源回路４や制御基板５が収容されている。電源回路４は、空気清浄機１の電気部品に電力を供給し、制御基板５は、これらの部品の動作を制御する。仕切り板３は、筐体２の天面２ｃ及び底面２ｄの形状に概ね等しい。
【００１７】
筐体２の横方向両端の側面２ａ，２ｂには、それぞれ空気の吸気口Ｈ１及び排気口Ｈ２が形成されている。吸気口Ｈ１及び排気口Ｈ２は、共に風洞Ｓ１と外部空間とを連通する開口であり、電気室Ｓ２には面していない。なお、図１及び図２には、本来であれば吸気口Ｈ１及び排気口Ｈ２は表れないが、参考としてこれらの位置が示されている。同図に示すように、吸気口Ｈ１と排気口Ｈ２とは、概ね横方向に延びる同一直線上に位置している。
【００１８】
風洞Ｓ１内には、側面２ａから側面２ｂに向かって概ね一直線状に、集塵フィルター１０、送風機２０、仕切り板２１、ＶＯＣ除去部３０、コロナ放電部４０及びオゾン分解部５０がこの順番で配置されている。送風機２０が電源回路４からの電力供給を受けて駆動されると、風洞Ｓ１内において、側面２ａの吸気口Ｈ１から側面２ｂの排気口Ｈ２へと向かう気流Ａ１が発生する。風洞Ｓ１内へ吸気口Ｈ１を介して吸い込まれた空気は、風洞Ｓ１内を横方向に進みながら有害物質の除去がされ、その後、排気口Ｈ２から排出される。
【００１９】
集塵フィルター１０は、吸気口Ｈ１に対面するように配置されている。従って、吸気口Ｈ１を介して風洞Ｓ１内に取り込まれた空気は、まず集塵フィルター１０を通過する。集塵フィルター１０の性能は特に限定されないが、比較的大きな、例えば、５００マイクロメートル程度の径の塵や埃を除去することができる。例えば、集塵フィルター１０は、塵や埃を絡め取るスポンジ素材のフィルターとすることができる。
【００２０】
集塵フィルター１０の下流側には、送風機２０が配置されている。送風機２０は、その空気吸込口が集塵フィルター１０に接触するように、集塵フィルター１０に隣接して配置されている。従って、集塵フィルター１０を通過した空気は、送風機２０に効率的に取り込まれ、送風機２０の空気吐出口を介してさらに下流側へと流れてゆく。また、送風機２０は、図示されない支持部材により、仕切り板３上に固定されている。
【００２１】
送風機２０の構造は、風洞Ｓ１内に適切な風量の気流を生成することができる限り、特に限定されず、シロッコファン、クロスフローファン等の様々な形態のものから適宜選択することができる。ただし、小型、軽量、低騒音で寿命が長いものが使用されることが好ましい。長時間継続して使用できる点では、ブラシレスモーターを使用したものを選択することが好ましい。なお、風量が少なすぎる場合には、空気清浄機１の設置される環境における空気の浄化機能が十分に発揮されず好ましくないことがあり、風量が多すぎる場合にも、後述するＶＯＣ除去部３０においてＶＯＣが光触媒に作用する時間が短くなってしまい、好ましくないことがある。このような観点からは、送風機２０の風量は、毎分１リットル以上かつ５００リットル以下であることが好ましく、毎分１０リットル以上かつ１００リットル以下であることがより好ましい。また、送風機２０の配置に関しても適宜選択することができ、風洞Ｓ１内に吸気口Ｈ１から排気口Ｈ２へと向かう気流Ａ１を生成することができる限り、例えば、ＶＯＣ除去部３０よりも下流側に配置されていてもよい。
【００２２】
ＶＯＣ除去部３０は、送風機２０の下流側において、送風機２０に隣接して配置されている。ただし、ＶＯＣ除去部３０と送風機２０との間には、仕切り板２１が配置されている。仕切り板２１は、仕切り板３上に起立しており、筐体２の天面２ｃまで延びている。また、仕切り板２１には、送風機２０の空気吐出口に対面するように開口が形成されており、その結果、送風機２０から吐出される空気は、仕切り板２１を通過してＶＯＣ除去部３０に達する。
【００２３】
ＶＯＣ除去部３０は、紫外線（ＵＶ光）により励起した光触媒を空気に作用させることで、空気中に含まれるＶＯＣを酸化分解する装置である。具体的には、ＶＯＣ除去部３０は、光触媒フィルター３１と、これに紫外線を照射する紫外線（ＵＶ）ランプ３２とを有する。光触媒フィルター３１は、両端が開口し、概ね横方向に延びるトンネル部材３３を有する。トンネル部材３３は、全体として底面（仕切り板３側の面）のない又はある角筒状であり、仕切り板３上に固定されている。本実施形態に係るトンネル部材３３は、無機材質により構成されており、トンネル部材３３の表面全体には、光触媒が塗布されている。光触媒の種類は特に限定されないが、本実施形態では、二酸化チタンである。本実施形態に係るトンネル部材３３は、全体がメッシュ状に形成されており、言い換えると、トンネル部材３３には空気の通り抜けが可能な多数の孔が形成されている。
【００２４】
ＵＶランプ３２は、電源回路４からの電力供給を受けて駆動される。ＵＶランプ３２の構造は、光触媒を励起するのに十分な発光特性を有する限り、特に限定されないが、本実施形態では、石英管の水銀ランプである。しかしながら、勿論、ＬＥＤランプ等の他の態様とすることもできる。ＵＶランプ３２から照射される紫外線の波長は、典型的には、２６０ナノメートル程度である。また、光触媒を励起することができる限り、ＵＶランプ３２に代えて、可視光ランプを用いることもできる。また、本実施形態に係るＵＶランプ３２は、トンネル部材３３の表面に塗布された光触媒に効率的に紫外線を照射することができるように、トンネル部材３３内において、トンネル部材３３の略断面中央を概ね横方向に延びるように配置されている。しかしながら、ＵＶランプ３２の配置も、光触媒を励起することができる限り、特に限定されない。
【００２５】
トンネル部材３３の上流側の開口は、送風機２０の空気吐出口に対面する仕切り板２１の開口にさらに対面するように隣接して配置されており、当該空気吐出口から流れ出た空気は、その大部分が当該上流側の開口を介してトンネル部材３３内へ流入する。一方、トンネル部材３３の下流側の開口は、板状の気流の遮蔽部材３４により塞がれている。そのため、トンネル部材３３内に流入した空気は、トンネル部材３３の下流側の開口を介してトンネル部材３３内から抜け出ることができず、メッシュ状のトンネル部材３３に形成された多数の孔を介して、トンネル部材３３内から流出する。遮蔽部材３４は、送風機２０からの気流を流れにくくすることができ、これにより、風速を低下させ、ＶＯＣが光触媒に作用する時間が十分に確保される。
【００２６】
また、本実施形態では、トンネル部材３３内に流入した空気が上記の流路を辿ることで、風洞Ｓ１内に取り込まれた空気の殆ど全量が光触媒に接触することになる。これにより、空気中のＶＯＣが効率的に光触媒と接触し、酸化分解される。ただし、ＶＯＣが光触媒により効率的に分解されるとしても、光触媒による効果では、ＶＯＣが無害な物質まで完全に分解されず、依然として有害な中間生成物が一定程度残留し得る。また、ＶＯＣ除去部３０は、集塵効果を発揮することはできず、空気中のダストは除去されない。そのため、ＶＯＣ除去部３０の下流側には、これらの有害な空気中の浮遊物質を除去するためのコロナ放電部４０が配置されている。
【００２７】
より詳細には、コロナ放電部４０は、遮蔽部材３４に対してＵＶランプ３２の反対側に配置されている。コロナ放電部４０は、コロナ放電を発生させる装置である。コロナ放電部４０の構造は、コロナ放電を発生させることができる限り、特に限定されないが、本実施形態では、針状の放電電極４１とリング状の対向電極４２とを有する。放電電極４１には、電源回路４から正電圧が印加され、対向電極４２は接地されている。放電電極４１は、対向電極４２よりも上流側に配置されている。また、針状の放電電極４１は、概ねリング状の対向電極４２の中心軸上に位置し、放電電極４１の針先は、リング状の対向電極４２から一定の距離を空けている。この距離は、好ましくは、５ｍｍ以上かつ２０ｍｍ以下である。この場合、電圧は、１ｋＶ以上かつ３０ｋＶ以下であることが好ましい。
【００２８】
以上の構成により、放電電極４１及び対向電極４２間に高圧が印加されると、これらの電極４１，４２間にコロナ放電が生じる。これにより、コロナ放電部４０付近の空気中において、中間生成物に電子シャワーを浴びせることができるとともに、オゾンが発生する。ここで発生したオゾンは、その強い酸化力により、中間生成物を分解させることができる。従って、コロナ放電部４０では、上述した電子シャワーとオゾンの作用とにより、ＶＯＣ除去部３０で除去しきれなかったＶＯＣと、その分解途中の中間生成物と（特に後者）を無毒化させることができる。
【００２９】
また、コロナ放電が発生すると、コロナ放電部４０付近の空気中のダストが帯電し、この帯電したダストはクーロン力により対向電極４２に集められ、ここで焼失する。これにより、空気中のダストも除去される。
【００３０】
ところで、上述した遮蔽部材３４は、紫外線の透過を遮蔽する材質で構成される、又は紫外線吸収剤が表面に塗布されていることが好ましい。この場合、ＵＶランプ３２で発生した紫外線が、コロナ放電部４０の電極４１，４２に達しにくくなり、電極４１，４２の劣化を防止することができる。もし遮蔽部材３４がない場合には、浮遊する有機物が紫外線で炭化され、長期間使用した場合には、絶縁部分に付着して絶縁破壊を起こす可能性がある。また、以上の観点からは、遮蔽部材３４、特にトンネル部材３３側の面は、紫外線を効率的に吸収できるよう、暗色、特に黒色に構成されていることが好ましい。また、本実施形態では、筐体２、仕切り板３及び仕切り板２１、特にこれらの部材２，３，２１の風洞Ｓ１に面する内側表面も、暗色、特に黒色に構成されていることが好ましい。
【００３１】
リング状の対向電極４２の中心軸は、概ね筐体２の排気口Ｈ２の中心軸と位置合わせされている。そして、対向電極４２と排気口Ｈ２との間には、両者に接触するように、オゾン分解部５０が配置されている。コロナ放電により発生したオゾンは、中間生成物の分解に利用されるが、剰余のオゾンが残留する。オゾン分解部５０は、この残留したオゾンを除去するための装置である。オゾン分解部５０の構造は、オゾンを分解することができる限り、特に限定されないが、本実施形態では、非金属系触媒であるグラファイトを用いたオゾン分解素子が用いられている。また、本実施形態に係るオゾン分解部５０は、オゾン分解能を有する触媒をハニカム（蜂の巣）状に構成した構造を有しており、ハニカムの通路がリング状の対向電極４２から排気口Ｈ２まで向かうように配置されている。
【実施例】
【００３２】
実施例１として、上記実施形態に係る空気清浄機と同様の空気清浄機を製作した。送風機の風量は毎分３５リットルとした。【００３３】
実施例１に係る空気清浄機を室内に配置し、排気口の外側付近で空気中に含まれるイオンの数を測定したところ、マイナスイオンが３０万個／ｃｃ、プラスイオンが２００個／ｃｃの結果が得られた。イオンの数の測定には、アンデス電気株式会社製の空気イオンカウンター「ＩＴＣ−２０１Ａ」を用いた。実施例１に係る空気清浄機では、励起された空気により好ましい濃度のマイナスイオンが生成されていることが確認された。【００３４】
また、実施例１に係る空気清浄機が駆動中及び停止中の両方の条件下で、空気中に含まれる各サイズの粒子の量を測定し、集塵率を算出したところ、以下の結果が得られた。測定は、リオン株式会社製のパーティクルカウンター「ＫＣ−５１」を用いて、空気清浄機の排気口の外側付近で行った。以下の結果からは、空気中のダストが高集塵率で除去されていることが確認できた。
【表１】
2016147792.tif 000003
【００３５】
また、１０ｐｐｍのホルムアルデヒドを含む空気を実施例１に係る空気清浄機の吸気口に供給し、排気口から排出される空気のホルムアルデヒドの濃度を測定したところ、５００ｐｐｂとなり、９５％の分解効率が確認された。なお、濃度の測定には、ＲＡＥ  ＳＹＳＴＥＭＳ社製のポータブルＶＯＣモニタ「ｐｐｂＲＡＥ  ＰＧＭ−７２４０」を使用した。【００３６】
また、実施例１に係る空気清浄機の吸気口に大気を供給し、排気口から排出される空気中のオゾンの濃度を測定したところ、０．２ｐｐｍという結果が得られた。
ここで、密閉空間での定常状態のオゾン濃度は、下記の計算で見積もることができる。
ρ（ｔ）：時間ｔにおけるオゾンの濃度（ｐｐｍ）
Ｎ（ｔ）：時間ｔにおけるオゾンの個数
Ｖ：空気清浄機を運転している部屋の容積（ｌ）
Ｔ1/2：オゾンの半減期（ｍｉｎ）
λ：減衰定数（ｍｉｎ-1）
ｎp：空気清浄機から放出されるオゾンの生成率（ｐｐｍ・ｍｉｎ-1）
ρp：空気清浄機から放出されるオゾンの濃度（ｐｐｍ）
Ｖp：空気清浄機から放出される空気の風速（ｌ・ｍｉｎ-1）
とすると、
Ｎ（ｔ）＝ρ（ｔ）・Ｖ
ｎp＝ρp・Ｖp
λ＝０．６９３・Ｔ1/2-1
である。【００３７】
一定のオゾンの流入がある場合の崩壊現象を記述する微分方程式は下記のように表される。
ｄＮ（ｔ）／ｄｔ＝ｎp−λＮ（ｔ）
そこで、ｔ→∞において、ｄＮ（ｔ）／ｄｔ＝０であるので、
Ｎ（∞）＝ｎp・λ-1
ρ（∞）＝ｎp・λ-1・Ｖ-1
＝ρp・Ｖp・（Ｔ1/2／０．６９３）・Ｖ-1
となる。ここで、空気清浄機を使用する部屋の体積をＶ＝８０００ｌ、オゾンの半減期をＴ1/2＝３０ｍｉｎ、測定値から、ρp＝０．２ｐｐｍ、Ｖp＝３５ｌ・ｍｉｎ-1を用いて計算すると、ρ（∞）＝０．０３８ｐｐｍとなった。【００３８】
従って、８立方メートルの室内（二畳間）であれば、環境基準（０．０５ｐｐｍ）を十分に下回ることになる。なお、空気清浄機の駆動前のオゾンの濃度は、測定器の検出限界である０．０１ｐｐｍ以下であった。オゾンの濃度の測定には、荏原実業製のオゾンモニター「ＥＧ−２００１」を使用した。【００３９】
次に、実施例１に係る空気清浄機からＵＶランプを除去し、これを比較例１とした。そして、比較例１に係る空気清浄機の吸気口に、１０ｐｐｍのホルムアルデヒドを含む空気を供給し、排気口から排出される空気のホルムアルデヒドの濃度を測定したところ、５ｐｐｍという結果が得られた。この場合、分解効率は、５０％となり、空気清浄効果としては不十分であることが確認された。なお、濃度の測定には、ＲＡＥ  ＳＹＳＴＥＭＳ社製のポータブルＶＯＣモニタ「ｐｐｂＲＡＥ  ＰＧＭ−７２４０」を使用した。【００４０】
また、実施例１に係る空気清浄機からコロナ放電部を除去し、これを比較例２とした。そして、比較例２に係る空気清浄機の吸気口に、１０ｐｐｍのホルムアルデヒドを含む空気を供給し、排気口から排出される空気のホルムアルデヒドの濃度を測定したところ、８ｐｐｍという結果が得られた。この場合、分解効率は、２０％となり、空気清浄効果としては不十分であることが確認された。なお、濃度の測定には、ＲＡＥ  ＳＹＳＴＥＭＳ社製のポータブルＶＯＣモニタ「ｐｐｂＲＡＥ  ＰＧＭ−７２４０」を使用した。【００４１】
さらに、実施例１に係る空気清浄機からオゾン分解部を除去し、これを実施例２とした。そして、実施例２に係る空気清浄機の吸気口に大気を供給し、排気口から排出される空気中のオゾンの濃度を測定したところ、２０ｐｐｍという結果が得られた。この結果は、環境基準を超え（０．０５ｐｐｍ）ており、実施例１に係る空気清浄機は、実施例２に係る空気清浄機よりも室内で利用するのに適切であることが確認された。なお、空気清浄機の駆動前のオゾンの濃度は、測定器の検出限界である０．０１ｐｐｍ以下であった。オゾンの濃度の測定には、荏原実業製オゾンモニター「ＥＧ−２００１」を使用した。【００４２】
以上より、実施例１に係る空気清浄機の空気清浄効果が確認された。また、実施例１と比較し、ＶＯＣ除去部がない場合（比較例１）、又はコロナ放電部がない場合（比較例２）には、実施例１に係る空気清浄機と比較すると十分な空気清浄効果が発揮されないことが確認された。【００４３】
また、実施例１に係る空気清浄機から、メッシュ状のトンネル部材と遮蔽部材とを有する光触媒フィルターを取り除き、代わりに同じ位置に、側面に孔を有さず、両端に開口を有し、光触媒が全体に塗布された円筒状のトンネル部材を配置し、これを実施例３とした。なお、実施例１に係る空気清浄機のトンネル部材の断面形状は、２０ｍｍ×２５ｍｍの四角形であったのに対し、実施例３に係るトンネル部材の円形断面の直径は、２４ｍｍであった。そして、実施例３に係る空気清浄機の吸気口に、１０ｐｐｍのホルムアルデヒドを含む空気を供給し、排気口から排出される空気のホルムアルデヒドの濃度を測定したところ、６ｐｐｍという結果が得られた。この場合、分解効率は、４０％となり、実施例１に係る空気清浄効果（９５％）を下回った。これにより、メッシュ状のトンネル部材及び遮蔽部材を有する構造の光触媒フィルターの優位性が確認された。
【符号の説明】
【００４４】
１  空気清浄機
２  筐体
２０  送風機
３０  ＶＯＣ除去部
３１  光触媒フィルター
３２  ＵＶランプ（光源）
３３  トンネル部材
３４  遮蔽部材
４０  コロナ放電部
５０  オゾン分解部
Ｓ１  風洞
Ｈ１  吸気口
Ｈ２  排気口
Ａ１  風の流れ
Ｓ２  電気室（電気回路および制御基板設置部分）
２ａ  上流側側面
２ｂ  下流側側面
２１  仕切り板（送風機と光触媒室を分離する壁。風を通す穴が開いている。）
４１  放電電極（コロナ放電用針状電極）
４２  対向電極（コロナ放電用設置電極）
【図１】
2016147792.tif 000004
【図２】
2016147792.tif 000005
【国際調査報告】
2016147792.tif 000006
2016147792.tif 000007
2016147792.tif 000008
2016147792.tif 000009